(57)【特許請求の範囲】
【請求項１】
壁面の損傷を検知するための打診具であって、
その正面視が円形を呈した打診子と、
把持棒と、
この把持棒に上記打診子を取り付けるための支持機構と、
複数の凸部とを備えており、
この支持機構は、上記打診子を、上記把持棒の長手方向に直交する軸の回りに回転可能に支持しており、
上記打診子の外周に、複数の凸部が、周方向に沿って間隔を置いて形成されており、
この凸部が、打診子の半径方向に突出した第１突出部と、回転軸方向に突出した第２突出部とを有し、
この凸部が、上記打診子が回転する周方向に垂直な断面において、部分円状又は部分長円状を呈し、
上記打診子が壁面上を転動することで複数の凸部が順次規則的に壁面に衝突し発生する衝突音に基づいて検査する、打診具。
【請求項２】
上記第１突出部と第２突出部とが、外向きに凸な円弧状に連続して形成されている請求項１に記載の打診具。
【請求項３】
上記第２突出部が、上記第１突出部を挟んで、上記打診子の両面側に形成されている請求項１又は２に記載の打診具。
【請求項４】
上記打診子が、円板状を呈しており、
上記支持機構が、その両端部が上記打診子の表裏両面側に延びるＵ字状の保持部と、この保持部の一対の先端部間に上記打診子を回転自在に支持する枢支軸とを有する請求項１から３のいずれかに記載の打診具。
【請求項５】
上記打診子が２枚備えられており、
この２枚の打診子が、いずれも円板状を呈し、互いに同軸状に配置されており、
上記支持機構が、２枚の打診子間に位置する保持部と、この保持部に上記打診子を回転自在に支持する枢支軸とを有しており、
上記第２突出部が、同軸配置された上記打診子の互いに対向しない面側にのみ形成されている請求項１から３のいずれかに記載の打診具。
【発明の詳細な説明】
【技術分野】
【０００１】
本発明は、構造物等の壁面の損傷等、例えば仕上面の浮き上がりを検知するために使用される打診具に関するものである。
【背景技術】
【０００２】
構造物の表面に施された仕上層であるタイルやモルタル等は、経年変化により「浮き」と称される損傷を受けることがある。この浮きが放置されると、構造物の表面から仕上層が剥離落下するおそれがある。そのため、仕上層は、剥離の有無について定期的に検査される。この検査には、打診具と称される道具が用いられる。使用者は、打診具を仕上層に軽く衝突させて、その衝突音等により仕上層の損傷の有無を判断する。このような打診具は、例えば、特開２００６−９０８３２公報、登録実用新案第３１６７５５３号公報に開示されている。
【０００３】
特開２００６−９０８３２公報に記載された打診具は、把持棒と球形の打診子とを有している。打診子は、把持棒の先端に、把持棒の中心軸回りに回転可能に取り付けられている。球形の打診子の表面には、把持棒の中心軸方向に複数本の凸条が延びている。この凸条は、打診子の表面の緯線方向（赤道方向）に沿って一定ピッチで形成されている。この打診子は、球形のカボチャに似た形状を呈している。
【０００４】
使用者は、この打診子を構造物の壁面に当接させて転動させる。打診子が転動させられたときには、複数の凸条が順次規則的に構造物の表面に衝突する。その結果、コトコトコトという一定周期の衝突音が発生する。使用者は、この衝突音等の音色に基づいて当該構造物の損傷の有無を判断する。
【０００５】
打診子が、その赤道の近傍の部分が壁面に当接した状態、換言すれば、把持棒と壁面とのなす角度（交差角）が小さい状態で転動させられるときには、打診子はスムーズに回転する。また、赤道の近傍の部分では、凸条の高さが比較的高く、凸条同士の間隔も比較的大きいので、大きい衝突音が発生する。しかしながら、交差角が大きい方向に傾斜された状態、換言すれば、打診子が、その先端近傍の部分が上記壁面Ｗに当接した状態、で転動させられるときには、打診子は回転しにくい。また、先端近傍の部分では、凸条の高さが比較的低く、凸条同士の間隔が比較的小さくなるので、衝突音が小さくなってしまう。
【０００６】
一般的に、打診具は、上記交差角が比較的大きい状態で使用される。その際、打診子は、その先端近傍の部分が上記壁面に当接した状態で転動する。もともと、打診子の先端近傍では、その凸条の高さは低い。凸条が存在しない場合もある。従って、打診子は、短期間の使用によってその凸条が摩滅してしまう。凸条が摩滅すれば、その打診具は機能を発揮しない。
【０００７】
登録実用新案第３１６７５５３号公報では、上記問題点を解消するための打診子の形状について提案がなされている。しかしながら、かかる形状の打診子であっても、上記問題の解消に十分とは言えない。
【先行技術文献】
【特許文献】
【０００８】
【特許文献１】特開２００６−９０８３２公報
【特許文献２】登録実用新案第３１６７５５３号公報
【発明の概要】
【発明が解決しようとする課題】
【０００９】
本発明は、かかる現状に鑑みてなされたものであり、診断対象の壁面に対する把持棒のなす角度に関わらず、打診子の良好な転動及び打撃が可能な打診具を提供することを目的としている。
【課題を解決するための手段】
【００１０】
本発明に係る打診具は、
壁面の損傷を検知するための打診具であって、
その正面視が円形を呈した打診子と、
把持棒と、
この把持棒に上記打診子を取り付けるための支持機構とを備えており、
この支持機構は、上記打診子を、上記把持棒の長手方向に直交する軸の回りに回転可能に支持しており、
上記打診子の外周に、複数の凸部が、周方向に沿って間隔を置いて形成されており、
この凸部が、打診子の半径方向に突出した第１突出部と、回転軸方向に突出した第２突出部とを有している。
【００１１】
好ましくは、上記第１突出部と第２突出部とが、外向きに凸な円弧状に連続して形成されている。
【００１２】
好ましくは、上記第２突出部が、上記第１突出部を挟んで、上記打診子の両面側に形成されている。
【００１３】
好ましくは、上記打診子が、円板状を呈しており、
上記支持機構が、その両端部が上記打診子の表裏両面側に延びるＵ字状の保持部と、この保持部の一対の先端部間に上記打診子を回転自在に支持する枢支軸とを有する。
【００１４】
好ましくは、上記打診子が２枚備えられており、
この２枚の打診子が、いずれも円板状を呈し、互いに同軸状に配置されており、
上記支持機構が、２枚の打診子間に位置する保持部と、この保持部に上記打診子を回転自在に支持する枢支軸とを有しており、
上記第２突出部が、同軸配置された上記打診子の互いに対向しない面側にのみ形成されている。
【発明の効果】
【００１５】
本発明の打診具によれば、水平な壁面に対しても、鉛直な壁面に対しても、その間の角度の傾斜壁面に対しても、打診子は当接してスムーズに転動しうる。従って、被検壁面に対して取り得る打診具の当接姿勢の幅が拡大する。その結果、広い範囲の壁面の検査が可能となる。
【図面の簡単な説明】
【００１６】
【図１】図１は、本発明の一実施形態に係る打診具を示す斜視図である。
【図２】図２（ａ）は、打診具の打診子及び支持機構を示す一部切り欠き正面図であり、図２（ｂ）は、図２（ａ）のＩＩ−ＩＩ線に沿って見た断面図である。
【図３】図３（ａ）は、図２の打診具の使用状態を示す正面図であり、図３（ｂ）はその右側面図である。
【発明を実施するための形態】
【００１７】
以下、適宜図面が参照されつつ、好ましい実施形態に基づいて本発明が詳細に説明される。
【００１８】
図１には打診具２が示されている。この打診具２は、建築物の天井、側壁、床面等（壁面という）の損傷を検査するための道具である。使用者は、この打診具２を用いて当該壁面を打診し、その打音により損傷の有無を検査する。この検査は「壁面損傷検査」と称される。打診具２は、把持棒４と、打診子６と、打診子６を把持棒４に取り付けるための支持機構８とを備えている。この支持機構８は、把持棒４の先端に設けられている。打診子６は、回転体形状を有する部材である。本実施形態における打診子６は円板状を呈している。
【００１９】
把持棒４は、本実施形態においては中実の棒材から形成されている。把持棒は、筒状部材から形成されてもよい。また、入れ子式に組み立てられた複数の筒状部材から、伸縮可能に構成されてもよい。把持棒４は、ステンレス鋼等の金属から形成されてもよく、合成樹脂、カーボン繊維等から形成されてもよい。把持棒４の後端部及びその近傍の外周面は、ゴムや合成樹脂からなるシート部材１０によって被覆されている。この被腹された部分は、使用者が把持するグリップ部となる。
【００２０】
図２には、打診子６及び支持機構８が示されている。支持機構８は、打診子６を、把持棒４の先端に支持している。打診子６は、その中心軸ＣＬ周りに回転自在に支持されている。打診子６の外周縁には、周方向に等間隔を置いて、多数の同一形状の凸部１２が形成されている。図２に示す打診子６では、２２個の凸部１２が形成されているが、２２個には限定されない。凸部１２同士の間には谷が生じている。この凸部１２は、打診子６の、外周面６ａから、僅かであるが表裏両面６ｂ、６ｃにまで至っている。すなわち、凸部１２は、打診子６の外周面６ａから半径方向に突出した第１突出部１４と、表裏各面６ｂ、６ｃから回転軸（中心軸でもある）ＣＬ方向に突出した第２突出部１６とを有している。第２突出部１６は放射状に延びている。第２突出部１６は、打診子６の一方の面のみに形成されていてもよいが、両面６ｂ、６ｃに形成されているのが使用上便利である。
【００２１】
本実施形態では、第１突出部１４と第２突出部１６とは連続している。図２（ｂ）に示されるように、凸部１２は、打診子６の周方向に見れば、半円状を含んだ部分円状、半長円状を含んだ部分長円状等を呈している。換言すれば、第１突出部１４と第２突出部１６とは、その上端が、外向きに凸な円弧状に連続している。この凸部１２のあらゆる部分において、壁面の打診を行うことができる。もちろん、第１突出部１４と第２突出部１６とが連続せず、互いに独立した突起であってもよい。つまり、第１突出部１４と第２突出部１６との間に谷が形成されてもよい。しかし、第１突出部１４と第２突出部１６とは、打診子６の同一の周方向の角度位置にある必要がある。
【００２２】
打診子６は、アルミ合金やステンレス鋼等の金属、合成樹脂等から形成される。打診子６の中心部には、枢支用貫通孔１８が形成されている。この枢支用貫通孔１８には、後述する枢支軸２４が挿通される。また、打診子６には、必要に応じて、軽量化のための図示しない貫通部が形成されうる。
【００２３】
支持機構８は、打診子６をその中心軸ＣＬ回りに回転自在に枢支している。支持機構８は、打診子６を、その回転軸ＣＬが把持棒４の中心軸に直交するように支持している。打診子６の回転軸ＣＬは、把持棒４の中心軸に直交することに限定されない。中心軸に平行な方向に直交しておればよい。換言すれば、回転軸ＣＬは、把持棒４の長手方向に直交しておればよい。また、厳密に直交していなくてもよい。ここでは、回転軸ＣＬと把持棒４の長手方向とのなす角が、９０°±１０°程度の範囲内を直交という。支持機構８は、打診子６を保持する保持部２２及び枢支軸２４と、把持棒４に固定される固定部２６とを有している。
【００２４】
保持部２２は、断面がＵ字状に湾曲された板状部材からなる。打診子６は、Ｕ字の保持部２２の中に位置する。このとき、保持部２２のＵ字の両端部が、打診子６の表裏両側の枢支用貫通孔１８の位置まで至っている。保持部２２の両端部の対向する位置それぞれに、枢支用貫通孔２８が形成されている。これら貫通孔１８、２８に上記枢支軸２４が挿通されることにより、打診子６が回転自在に保持される。枢支軸２４の両端が保持部２２の枢支用貫通孔２８に固定され、打診子６が枢支軸２４に対して回転自在にされてもよい。また、打診子６が枢支軸２４の中間部に固定され、この枢支軸２４が保持部２２の枢支用貫通孔２８に回転自在に挿通されてもよい。しかし、組み立て容易性の観点からは、前者が好ましい。打診子６の表裏両面６ｂ、６ｃと、保持部２２の内面との間には、ワッシャ３０が備えられている。上記枢支軸２４としては、例えばボルトナット等を用いることができる。保持部は、Ｕ字状の板状部材には限定されない。保持部が一枚の平板、一本の棒等から形成され、打診子６がこの保持部の片側に枢支されたものでもよい。
【００２５】
上記固定部２６としては、同軸のねじ穴３２を有する管状部材が用いられている。上記把持棒４の先端には雄ねじ３４が形成されている。上記ねじ穴３２に、把持棒４の先端が螺入されている。固定部２６と把持棒４とは、着脱可能にされている。固定部２６と把持棒４との固定には、上記螺着と共に、又は、螺着に代えて、溶接や接着剤が用いられてもよい。
【００２６】
図３には、打診具２の使用状態が示されている。図３（ａ）は正面図であり、図３（ｂ）は右側面図である。打診具２は、次のようにして使用される。使用者は、打診子６を被検壁面Ｗに当接させ、把持棒２を横移動させることにより、打診子６を壁面Ｗに対して転動させる。打診子６が壁面Ｗ上を転動すると、順次規則的に凸部１２が壁面Ｗに衝突する。その結果、間欠的に（すなわち一定の周期で）衝突音が発生する。使用者は、壁面Ｗに傷等を付けることなく、衝突音に基づいて検査を行うことができる。
【００２７】
図中のＡは、打診子６の第１突出部１４を用いた打診を表しており、Ｂは、主に第２突出部１６を用いた打診を表している。Ａでは、把持棒４と壁面Ｗとの交差角αがほぼ９０°の状態で、打診子６が壁面Ｗに当接している。Ｂでは、交差角αがかなり小さい状態で、打診子６が壁面Ｗに当接している。天井の打診にはＡの姿勢が好ましく、側壁の打診にはＢの姿勢が好ましい。しかし、低い天井に対しては、小さい交差角αの姿勢を取りうる。一方、側壁に対しても、Ａのような大きい交差角αの姿勢を取りうる。このように、この打診具２では、交差角αが９０°であっても効果的な打診を実施することができるため、主に第１突出部１４により、天井の打診、側壁の低い部分の打診等が容易となる。
【００２８】
以上説明した実施形態では、一枚の円板からなる打診子６を、その両面６ｂ、６ｃ側からＵ字状の支持機構８が支持している。そして、打診子６の両面６ｂ、６ｃに、第２突出部１６が形成されている。しかし、かかる形態には限定されず、２枚の円板からなる打診子も採用されうる。図示していないが、同一形状の２枚の打診子が、互いに平行の姿勢で、僅かな間隔を置いて枢支軸によって連結される。平行の姿勢とは、換言すれば同軸状である。枢支軸は、もちろん、各打診子の中心部に固定されている。２枚の打診子の間には、支持機構の保持部（保持板）が、打診子と平行に位置している。上記枢支軸が、保持板に形成された貫通孔に挿通されており、回転自在に支持されている。
【００２９】
この２枚の打診子は、いずれも、外周面の第１突出部と、表裏のいずれか一方の面に形成された第２突出部とを有している。そして、２枚の打診子は、第２突出部が形成された面同士が互いに対向しないように組み立てられる。すなわち、第２突出部は、２枚の打診子の互いに対向しない面（外側の面）に形成されているように配置される。もちろん、各打診子の両面に第２突出部が形成されてもよい。しかし、その場合、互いに対向する面（内側の面）側の第２突出部は、被検壁面Ｗに殆ど当接せず、無駄なものとなる。把持棒及び支持機構の固定部は、前述の打診具２のものと同じものを採用しうる。
【００３０】
この図示しない打診具では、前述の打診具２と同様に、把持棒と壁面Ｗとのなす交差角αが９０°の状態でも、効果的な打診を行うことができる。しかも、この交差角αが限りなく０°に近づいた状態であっても、効果的な打診を行うことができる。支持機構が打診子より軸ＣＬ方向外方に突出してはいないからである。このように、この打診具は、交差角が０°近傍から９０°に至るまで、効果的な打診を行うことができる。
【産業上の利用可能性】
【００３１】
本発明は、建造物等の壁面の損傷の検査に適用され得る。
【符号の説明】
【００３２】
２・・・打診具
４・・・把持棒
６・・・打診子
６ａ・・・（打診子の）外周面
６ｂ、６ｃ・・・（打診子の）表裏面
８・・・支持機構
１０・・・シート部材
１２・・・凸部
１４・・・第１突出部
１６・・・第２突出部
１８・・・（打診子の）枢支用貫通孔
２２・・・保持部
２４・・・枢支軸
２６・・・固定部
２８・・・（保持部の）枢支用貫通孔
３０・・・ワッシャ
３２・・・ねじ穴
３４・・・雄ねじ
ＣＬ・・・打診子の中心軸（回転軸）
Ｗ・・・被検壁面
α・・・把持棒と壁面との交差角
【図１】
0006771948.tif 000002
【図２】
0006771948.tif 000003
【図３】
0006771948.tif 000004